(57)【要約】【課題】印刷装置に記憶されている印刷ジョブを利用してコンピュータ装置が再度の印刷設定を行って１つの統合印刷ジョブを生成して印刷装置で印刷させる。【解決手段】コンピュータ装置１のＣＰＵ１１は、ＨＤＤ１３に格納された統合印刷支援プログラム１３３を実行して、印刷装置３のメモリ３２に記憶されたファイル毎の各印刷データの内から統合すべきファイル毎の各印刷データを、イントラネット２を介して印刷装置３から取得して１つの統合印刷データに統合する。そして、その統合印刷データを統合印刷ジョブ再設定画面に表示してユーザに確認させ、ユーザの指示に基づいてその統合印刷データに対し再度の印刷設定を行い、再度の印刷設定がされた統合印刷データを印刷装置３に対し送信して、１つの印刷ジョブとして印刷を実行させる。【選択図】図２
2014056293.tif 000002
【特許請求の範囲】
【請求項１】
アプリケーションの実行によって複数のファイルを作成し、プリンタドライバの実行によって前記ファイル毎に印刷設定を行った印刷ジョブを生成して印刷装置に送信するコンピュータ装置が実行する統合印刷支援プログラムであって、
コンピュータ装置に、
印刷装置に記憶された各印刷ジョブの内から統合すべき各印刷ジョブを当該印刷装置から取得する印刷ジョブ取得ステップと、
前記印刷ジョブ取得ステップによって取得した各印刷ジョブを１つの統合印刷ジョブに統合して統合印刷ジョブ再設定画面に表示し、ユーザの指示に基づいてその統合印刷ジョブに対し再度の印刷設定を行う再印刷設定ステップと、
前記再印刷設定ステップによって再度の印刷設定がされた統合印刷ジョブを前記印刷装置に対し送信して、１つの印刷ジョブとして印刷を実行させる統合印刷ジョブ送信ステップと
を実行させることを特徴とする統合印刷支援プログラム。
【請求項２】
さらに、プリンタドライバの実行によって作成した各印刷ジョブを印刷装置に対し送信して記憶させる印刷ジョブ送信記憶ステップを有し、
前記印刷ジョブ取得ステップでは、
前記印刷ジョブ送信記憶ステップによって前記印刷装置に記憶させた各印刷ジョブを含み、前記印刷装置に記憶された各印刷ジョブの内から統合すべき各印刷ジョブを当該印刷装置から取得する
ことを特徴とする請求項１に記載の統合印刷支援プログラム。
【請求項３】
前記再印刷設定ステップでは、
前記印刷ジョブ取得ステップによって取得した各印刷ジョブを１つの統合印刷ジョブに統合してページ単位で統合印刷ジョブ再設定画面に表示し、ユーザの指示に基づいてその統合印刷ジョブに対し少なくともページ単位で再度の印刷設定を行う
ことを特徴とする請求項１又は２に記載の統合印刷支援プログラム。
【請求項４】
前記再印刷設定ステップでは、
前記印刷ジョブ取得ステップによって取得した各印刷ジョブを１つの統合印刷ジョブに統合してページ単位で統合印刷ジョブ再設定画面に表示し、ユーザの指示に基づいて再度の印刷設定を行った統合印刷ジョブをその再度の印刷設定が反映された図形データに変換し、その図形データを統合印刷ジョブ再設定画面にプレビュー表示することを特徴とする請求項１〜請求項３のいずれか一の請求項に記載の統合印刷支援プログラム。
【発明の詳細な説明】
【技術分野】
【０００１】
本発明は、アプリケーションプログラムの実行によって複数のファイルデータを作成し、作成したファイルデータ毎にプリンタドライバプログラムの実行によって所定の印刷設定を行った印刷ジョブデータを受信した印刷装置に対して印刷ジョブデータを送信する側のコンピュータ装置が実行する統合印刷支援プログラムに関する。
【背景技術】
【０００２】
通常、印刷装置に接続されたコンピュータ装置では、各種アプリケーションプログラム（以下、適宜、「アプリケーション」と略す。）の実行によって作成したファイルデータ（以下、適宜、「ファイル」と略す。）を印刷装置に送信して印刷を行う場合には、そのファイルをプリンタドライバプログラム（以下、適宜、「プリンタドライバ」と略す。）における設定によって各社独自または各社で標準化されている所定のページ記述言語（ＰＤＬ；Page Description Language）で記述した印刷ジョブデータ（以下、適宜、「印刷ジョブ」と略す。）に変換し、印刷装置に送信して印刷させる。
【０００３】
ところで、最近の印刷装置は、両面印刷やソート印刷等の通常の印刷設定だけでなく、高機能化が進んでいる。例えば、印刷済用紙をいわゆるＺ折りしたり、さらにはステープルやパンチ穴をあけるなどのフィニッシング処理等、印刷装置特有の編集処理が付属した印刷装置が普及してきている。
【０００４】
そこで、印刷装置に接続されたコンピュータ装置の印刷プレビュー画面において、印刷装置の特有の編集処理を含む各種印刷設定を表示して編集できるようにしたコンピュータ装置やその制御プログラム等が提案されている（例えば、特許文献１，２参照。）。
【先行技術文献】
【特許文献】
【０００５】
【特許文献１】特開２００２−６３０００号公報
【特許文献２】特開２０１０−２３１７７５号公報
【発明の概要】
【発明が解決しようとする課題】
【０００６】
しかしながら、上述の特許文献１，２に記載のコンピュータ装置や制御プログラム等では、印刷プレビュー画面で印刷装置特有の編集処理を含む各種印刷設定を表示して編集できるものの、その編集対象は、現在実行中のファイルや、そのコンピュータ装置でスプールしているファイルのみである。
【０００７】
そのため、上述の特許文献１，２に記載の制御プログラムでは、例えば、そのアプリケーションの実行によって処理を完了して印刷装置に送ってしまったファイルや、他のアプリケーションの実行によって印刷装置に送ってしまったファイル、さらには印刷装置自身でスキャンして記憶したスキャンデータや、他のコンピュータ装置が印刷装置に送信した印刷ジョブ等については、印刷設定の編集を行うことができなかった。
【０００８】
また、最近の会議等では、複数のアプリケーションによって作成したファイル毎に印刷およびフィニッシング処理を施して１つの資料として用意することが要求されている。例えば、文書作成アプリケーションによって作成した文書ファイルと、表作成アプリケーションによって作成した表ファイルと、プレゼン資料作成アプリケーションによって作成したプレゼンテーションファイルとを、アプリケーション毎（ファイル毎）に異なる印刷やフィニッシング処理等を施して１つの資料にまとめる場合がある。
【０００９】
しかしながら、上述の特許文献１，２に記載のコンピュータ装置や制御プログラム等では、１つの印刷プレビュー画面でアプリケーション毎に実行中のファイルの印刷設定を行うことができるものの、複数のアプリケーションによって作成した各ファイルの印刷設定をまとめて１つの印刷プレビュー画面で処理することはできなかった。そのため、複数種類のアプリケーションによって作成したファイルを、ファイル毎に印刷書式を変更して印刷して１つの資料にまとめる場合には、１つの印刷プレビュー画面で確認することはできず、ユーザの手間が非常にかかると共に、印刷ミスやフィニッシングミス等が発生していた。なお、このようなことは１種類のアプリケーションによって、複数のファイルを用紙のサイズや印刷方法等を変えて印刷し、その印刷用紙を１つの資料にまとめる場合でも同様である。
【００１０】
本発明は、このような課題に鑑みてなされたものであり、印刷装置に記憶されている印刷ジョブを利用してコンピュータ装置が再度の印刷設定を行って１つの統合印刷ジョブを生成して印刷装置で印刷させることができる統合印刷支援プログラムを提供することを目的とする。
【課題を解決するための手段】
【００１１】
上記目的を達成するため、本発明に係る統合印刷支援プログラムの第１の特徴は、アプリケーションの実行によって複数のファイルを作成し、プリンタドライバの実行によって前記ファイル毎に印刷設定を行った印刷ジョブを生成して印刷装置に送信するコンピュータ装置が実行する統合印刷支援プログラムであって、コンピュータ装置に、印刷装置に記憶された各印刷ジョブの内から統合すべき各印刷ジョブを当該印刷装置から取得する印刷ジョブ取得ステップと、前記印刷ジョブ取得ステップによって取得した各印刷ジョブを１つの統合印刷ジョブデータ（以下、適宜、「統合印刷ジョブ」と略す。）に統合して統合印刷ジョブ再設定画面に表示し、ユーザの指示に基づいてその統合印刷ジョブに対し再度の印刷設定を行う再印刷設定ステップと、前記再印刷設定ステップによって再度の印刷設定がされた統合印刷ジョブを前記印刷装置に対し送信して、１つの印刷ジョブとして印刷を実行させる統合印刷ジョブ送信ステップとを実行させることにある。
【００１２】
また、本発明に係る統合印刷支援プログラムの第２の特徴は、さらに、プリンタドライバの実行によって作成した各印刷ジョブを印刷装置に対し送信して記憶させる印刷ジョブ送信記憶ステップを有し、前記印刷ジョブ取得ステップでは、前記印刷ジョブ送信記憶ステップによって前記印刷装置に記憶させた各印刷ジョブを含み、前記印刷装置に記憶された各印刷ジョブの内から統合すべき各印刷ジョブを当該印刷装置から取得することにある。
【００１３】
また、本発明に係る統合印刷支援プログラムの第３の特徴は、前記再印刷設定ステップでは、前記印刷ジョブ取得ステップによって取得した各印刷ジョブを１つの統合印刷ジョブに統合してページ単位で統合印刷ジョブ再設定画面に表示し、ユーザの指示に基づいてその統合印刷ジョブに対し少なくともページ単位で再度の印刷設定を行うことにある。
【００１４】
また、本発明に係る統合印刷支援プログラムの第４の特徴は、前記再印刷設定ステップでは、前記印刷ジョブ取得ステップによって取得した各印刷ジョブを１つの統合印刷ジョブに統合してページ単位で統合印刷ジョブ再設定画面に表示し、ユーザの指示に基づいて再度の印刷設定を行った統合印刷ジョブをその再度の印刷設定が反映された図形データに変換し、その図形データを統合印刷ジョブ再設定画面にプレビュー表示することことにある。
【発明の効果】
【００１５】
本発明に係る統合印刷支援プログラムの第１の特徴によれば、取得した各印刷ジョブを１つの統合印刷ジョブに統合して統合印刷ジョブ再設定画面に表示し、ユーザの指示に基づいてその統合印刷ジョブに対し再度の印刷設定を行う再印刷設定ステップと、再印刷設定ステップによって再度の印刷設定がされた統合印刷ジョブを印刷装置に対し送信して、１つの印刷ジョブとして印刷を実行させる統合印刷ジョブ送信ステップとをコンピュータ装置に実行させるので、アプリケーションの実行を終了したりファイルを閉じた場合等でも、印刷装置に記憶されている複数の印刷ジョブを利用して再度の印刷設定を行った１つの統合印刷ジョブを生成して印刷することができる。
【００１６】
本発明に係る統合印刷支援プログラムの第２の特徴によれば、印刷装置に記憶された各印刷ジョブの内から統合すべき各印刷ジョブを当該印刷装置から取得する印刷ジョブ取得ステップをコンピュータ装置に実行させるので、印刷装置に記憶された各印刷ジョブの内から統合すべき各印刷ジョブについても、１つの統合印刷ジョブを生成して印刷することができる。
【００１７】
本発明に係る統合印刷支援プログラムの第３の特徴によれば、取得した各印刷ジョブを１つの統合印刷ジョブに統合してページ単位で統合印刷ジョブ再設定画面に表示し、ユーザの指示に基づいてその統合印刷ジョブに対し少なくともページ単位で再度の印刷設定を行う再印刷設定ステップをコンピュータ装置に実行させるので、ユーザは、簡易にページ単位で再度の印刷設定を行うことができる。
【００１８】
本発明に係る統合印刷支援プログラムの第４の特徴によれば、印刷ジョブ取得ステップによって取得した各印刷ジョブを１つの統合印刷ジョブに統合してページ単位で統合印刷ジョブ再設定画面に表示し、ユーザの指示に基づいて再度の印刷設定を行った統合印刷ジョブをその再度の印刷設定が反映された図形データに変換し、その図形データを統合印刷ジョブ再設定画面にプレビュー表示する再印刷設定ステップをコンピュータ装置に実行させるので、ユーザは、複数のファイルを１つに統合した統合印刷ジョブの最終的な出力結果を容易にイメージすることができ、印刷ミスやフィニッシングミス等の発生を低減させることができる。
【図面の簡単な説明】
【００１９】
【図１】本発明の実施形態である統合印刷支援プログラムを実行するコンピュータ装置と、印刷装置と、サーバとの接続状態を示す図である。
【図２】コンピュータ装置と印刷装置の内部構成例を示すブロック図である。
【図３】本発明の実施形態である統合印刷支援プログラムによって実行される統合印刷処理を示すフローチャートである。
【図４】印刷装置から取得した印刷ジョブを表示してユーザに選択させている状態の統合印刷ジョブ再設定画面の一例を示す図である。
【図５】統合印刷ジョブの印刷設定データの一例を示しており、（ａ）は統合印刷ジョブのジョブ全体に対し設定した印刷設定データの一例を示し、（ｂ）は統合印刷ジョブの各ページ単位に設定した印刷設定データの一例を示す図である。
【図６】統合印刷ジョブに対し各ページ単位に個別印刷設定を行っている状態の統合印刷ジョブ再設定画面の一例を示す図である。
【図７】統合印刷ジョブに対し各ページ単位に個別印刷設定を行っている状態の統合印刷ジョブ再設定画面の他の例を示す図である。
【図８】統合印刷ジョブ再設定画面に表示された統合印刷ジョブの図形データの一例を示す図である。
【発明を実施するための形態】
【００２０】
以下、本発明の実施の形態を、図面を参照しながら詳細に説明する。
【００２１】
図１は、本発明の実施形態である統合印刷支援プログラムを実行するコンピュータ装置１と、印刷装置３と、サーバ５との接続状態を示す図である。
【００２２】
図１に示すように、実施形態である統合印刷支援プログラムを実行するコンピュータ装置１は、イントラネット２を介して印刷装置３と接続されていると共に、イントラネット２およびインターネット４を介してサーバ５と接続されている。なお、コンピュータ装置１や、印刷装置３、サーバ５は、汎用の装置である。
【００２３】
図２は、コンピュータ装置１と印刷装置３の内部構成例を示すブロック図である。
【００２４】
図２に示すように、このコンピュータ装置１は、汎用のパーソナルコンピュータと同様であり、各種プログラムを実行するＣＰＵ１１と、メモリ１２と、各種プログラムを記憶したＨＤＤ１３と、液晶モニタ等の表示部１４と、キーボードやマウス等の入力部１５と、イントラネット２と接続するためのＬＡＮインターフェース部等の通信処理部１６等を有している。
【００２５】
ここで、コンピュータ装置１のＨＤＤ１３には、オペレーショシステム（ＯＳ）の他に、各種プログラムを記憶している。本実施形態では、文書のファイルを作成するための文書作成アプリケーション１３１ａや、表ファイルを作成するための表作成アプリケーション１３１ｂ、プレゼンテーションファイルを作成するためのプレゼン資料作成アプリケーション１３１ｃ等のアプリケーションプログラム１３１の他に、アプリケーションプログラム１３１の実行によって作成したファイルに対し所定の印刷設定を行ったファイル毎の印刷ジョブを生成して印刷装置３に対し送信するためのプリンタドライバ１３２が格納されている。なお、これらのプログラムは公知のものである。また、プリンタドライバ１３２によって生成される印刷ジョブは、ＰＤＦ（Portable Document Format）形式やＸＰＳ(XML Paper Specification)形式等のページ記述言語（ＰＤＬ；Page Description Language）で記述されている。
【００２６】
また、このコンピュータ装置１のＨＤＤ１３には、後述するように印刷装置３に記憶されているファイル毎の印刷ジョブを複数取得し、そのファイル毎の印刷ジョブを１つに統合すると共に再度の印刷設定を行った統合印刷ジョブを生成して印刷装置３に対し送信し、１つの印刷ジョブとして印刷を実行させるための統合印刷支援プログラム１３３が格納されている。そして、このコンピュータ装置１のＣＰＵ１１は、統合印刷支援プログラム１３３を実行することにより、印刷ジョブ送信記憶手段、印刷ジョブ取得手段、再印刷設定手段、統合印刷ジョブ送信手段として機能する。
【００２７】
なお、ここでは、この統合印刷支援プログラム１３３は、プリンタドライバ１３２とは別のプログラムとしてＨＤＤ１３に格納されているが、プリンタドライバ１３２等の一部として統合印刷支援プログラム１３３の機能が組み込まれていても良い。また、統合印刷支援プログラム１３３は、イントラネット２およびインターネット４を介してサーバ５からコンピュータ装置１にダウンロードしてＨＤＤ１３に格納したり、あるいは統合印刷支援プログラム１３３が記録されたＣＤやＤＶＤ等の記録媒体からコンピュータ装置１が読み取ってＨＤＤ１３に格納するようにしても良い。
【００２８】
印刷装置３は、印刷動作プログラムを実行して各種動作命令を出力し印刷動作を制御する印刷制御手段として動作すると共に、印刷装置３の動作全般を制御するＣＰＵ３１と、印刷動作プログラム等のプログラムを記憶すると共に、各コンピュータ装置１が送信してきた印刷ジョブ等を記憶するメモリ３２と、液晶モニタ等の表示部３３と、印刷装置３の各種操作ボタンが設けられた操作受付部３４と、イントラネット２と接続するためのＬＡＮインターフェース部等の通信処理部３５と、ＣＰＵ３１からの各種動作命令に従って用紙を搬送すると共に、メモリ３２に記憶した印刷ジョブ等を読み出して各種印刷を行う印刷実行部３６と、ＣＰＵ３１からの各種動作命令に従ってＺ折りや、ステープル留め、パンチ２穴穿孔等の印刷装置３固有のフィニッシング処理を行うフィニッシング処理部３７等を有している。
【００２９】
次に、コンピュータ装置１のＣＰＵ１１が、ＨＤＤ１３に格納された統合印刷支援プログラム１３３を実行することにより制御される統合印刷処理を、図面を参照して説明する。
【００３０】
図３は、本発明の統合印刷支援プログラムによって実行される統合印刷処理を示すフローチャートである。なお、図３において、ステップＳ１００〜ステップＳ１７５までの処理は、主にコンピュータ装置１で実行される処理であり、ステップＳ１８０〜ステップＳ１９５までの処理は、主に印刷装置３で実行される処理である。
【００３１】
まず、このコンピュータ装置１では、ユーザに通常印刷モードか統合印刷モードのどちらの印刷モードを選択させる（ステップＳ１００）。ここで、通常印刷モードが選択されている場合には（ステップＳ１００；通常印刷モード）、ＣＰＵ１１は、文書の印刷時に通常印刷処理を行う（ステップＳ１０５）。つまり、このコンピュータ装置１のＣＰＵ１１が、文書作成アプリケーション１３１ａや、表作成アプリケーション１３１ｂ、プレゼン資料作成アプリケーション１３１ｃ等のアプリケーション１３１を実行して各種ファイルを作成し、各アプリケーション１３１の実行時にプリンタドライバ１３２の実行によって所定の印刷設定を行ったファイル毎の印刷ジョブを生成して、イントラネット２を介して印刷装置３に対し送信し、印刷装置３が受信した印刷ジョブを、印刷ジョブ毎に順に印刷を行う通常の印刷処理である。なお、通常印刷モードか統合印刷モードの設定は、コンピュータ装置１が印刷支援プログラム１３３を起動して実行した際、コンピュータ装置１側でユーザが選択して設定して、イントラネット２を介して印刷装置３に対し通知する方法でも良いし、印刷装置３の操作受付部３４におけるボタン操作等によって印刷装置３側で設定し、コンピュータ装置１はこの統合印刷支援プログラム１３３を起動して実行した際、イントラネット２を介して印刷装置３にアクセスして印刷装置３で設定された印刷モードを把握するようにしても良い。
【００３２】
一方、ステップＳ１００において、統合印刷モードが選択されている場合には、コンピュータ装置１のＣＰＵ１１は、ユーザが予め文書作成アプリケーション１３１ａや、表作成アプリケーション１３１ｂ、プレゼン資料作成アプリケーション１３１ｃ等のアプリケーション１３１を実行して各種ファイルを作成し、各アプリケーション１３１の実行時にプリンタドライバ１３２の実行によって行った所定の印刷設定を行ったファイル毎の印刷ジョブを、イントラネット２を介して印刷装置３に対し送信して、印刷装置３のメモリ３２に印刷ジョブとして記憶させる（ステップＳ１１０）。
【００３３】
ここで、印刷装置３のメモリ３２に記憶させる印刷ジョブは、まだ印刷実行部３６にて印刷処理を行っていない印刷ジョブだけでなく、既に印刷実行部３６にて印刷処理済みの印刷ジョブも含む。そして、統合印刷モードの間は、印刷装置３のメモリ３２に記憶された印刷ジョブは、通常印刷や統合印刷が終了しても削除されずに、通常印刷や統合印刷が終了しても自由に利用できるよう記憶しておいたり、統合印刷モードが終了してユーザから削除指令があった場合に削除するようにしても良い。
【００３４】
また、印刷装置３には、複数のコンピュータ装置１が送信して記憶させた印刷ジョブや、印刷装置３自身がスキャンして、ＰＤＦ形式やＸＰＳ形式等のページ記述言語に変換しておいたスキャンデータである印刷ジョブ等が記憶されている。そのため、この統合印刷モードでは、コンピュータ装置１自身が印刷装置３に印刷ジョブを送信して印刷装置３のメモリ３２に記憶した印刷ジョブだけでなく、この印刷装置３自身がスキャンした印刷ジョブ、さらには他のコンピュータ装置１が印刷装置３に対し送信して印刷装置３のメモリ３２に記憶させた印刷ジョブ等も統合印刷ジョブの対象にできる。
【００３５】
ただし、他のコンピュータ装置１が印刷装置３に対し送信して印刷装置３に記憶させた印刷ジョブや、印刷装置３自身がスキャンした印刷ジョブ等を、イントラネット２に接続された全てのコンピュータ装置１で自由に統合印刷ジョブの対象にすることに問題が発生する場合がある。そのため、印刷装置３では、例えば、コンピュータ装置１毎の専用フォルダおよび共用フォルダを設けて、専用フォルダには他のコンピュータ装置１に使用を許可しない印刷ジョブを記憶させる一方、共用フォルダには他のコンピュータ装置１にも使用を許可する印刷ジョブを記憶させて、各コンピュータ装置１は自装置の専用フォルダおよび共用フォルダに記憶された印刷ジョブのみ統合印刷ジョブの対象にできるようにすると良い。また、コンピュータ装置１毎に専用フォルダを設けずに、印刷装置３に記憶されている各印刷ジョブに使用許可フラグや使用不可フラグ等を設定しておき、使用許可フラグが設定されていない印刷ジョブや、使用不可フラグが設定されている印刷ジョブは、他のコンピュータ装置１が勝手に取得できなくしても良い。また、他のコンピュータ装置１が印刷装置３に対し送信して印刷装置３に記憶させた印刷ジョブや、印刷装置３自身がスキャンした印刷ジョブ等は、パスワード等を入力しないとアクセス（閲覧）および取得ができないようにしても良い。
【００３６】
次に、コンピュータ装置１のＣＰＵ１１は、ユーザからの指示に従って統合印刷を実行するか否かを判定する（ステップＳ１１５）。
【００３７】
ステップＳ１１５において、ユーザがまだ統合印刷の実行（開始）を選択しない場合には（ＮＯの場合）、ステップＳ１１０の処理に戻り、ＣＰＵ１１は、各アプリケーション１３１の実行時にプリンタドライバ１３２の実行によってファイル毎の印刷ジョブを生成すると共に、統合印刷支援プログラム１３３の実行によって印刷ジョブ送信記憶手段として機能してイントラネット２を介して印刷装置３に対し送信して、印刷装置３のメモリ３２に印刷ジョブとして記憶させる。なお、印刷装置３のメモリ３２には、上述したように、そのコンピュータ装置１自身が印刷装置３に対し送信して記憶させた印刷ジョブ以外に、印刷装置３自身がスキャンしたデータや、他のコンピュータ装置１が印刷装置３に対し送信した印刷ジョブ等も記憶されている。
【００３８】
一方、ステップＳ１１５において、ユーザからの指示に従って統合印刷を実行すると判定された場合（ＹＥＳの場合）、コンピュータ装置１のＣＰＵ１１は、ファイル毎の印刷ジョブを印刷装置３から取得する（ステップＳ１２０）。具体的には、コンピュータ装置１が、１または複数のアプリケーション１３１を実行する際、プリンタドライバ１３２の実行によってファイル毎の印刷ジョブを生成して印刷装置３に送信して記憶しておき、そのユーザが統合印刷の実行（開始）を選択した場合に、そのコンピュータ装置１のＣＰＵ１１は、印刷ジョブ取得手段として機能して、印刷装置３のメモリ３２に記憶されている複数の印刷ジョブを当該コンピュータ装置１に対し送信させて取得する。
【００３９】
次に、コンピュータ装置１のＣＰＵ１１は、後述する図４に示すような統合印刷ジョブ再設定画面１４１を表示部１４に表示させて（ステップＳ１２５）、印刷装置３のメモリ３２に記憶されている複数の印刷ジョブの内から１つの資料として統合すべき複数の印刷ジョブをユーザに選択させる。ここで、印刷装置３のメモリ３２に記憶されている各印刷ジョブに使用許可フラグや使用不可フラグ等が設定されている場合には、その各印刷ジョブに使用許可フラグや使用不可フラグ等に従って、各コンピュータ装置１が印刷装置３から取得可能な印刷ジョブを制限する。
【００４０】
そして、ユーザは、表示部１４に表示させた後述する図４に示すような統合印刷ジョブ再設定画面１４１を参照して各印刷ジョブのチェック欄１４１ａ〜１４１ｃ等にレ点等を入れて、１つの資料として統合すべき複数の印刷ジョブを選択する（ステップＳ１３０）。
【００４１】
図４は、印刷装置から取得した印刷ジョブを表示してユーザに選択させている状態の統合印刷ジョブ再設定画面１４１の一例を示す図である。
【００４２】
図４に示す統合印刷ジョブ再設定画面１４１は、コンピュータ装置１の表示部１４に表示されるもので、コンピュータ装置１のＣＰＵ１１が統合印刷支援プログラム１３３の実行によって印刷ジョブ取得手段として機能して、例えば、文書作成アプリケーション１３１ａによって作成した“営業本部定例会議議事録（2012年○月○○日）”という印刷ジョブと、表作成アプリケーション１３１ｂによって作成した“関西地区売上実績グラフ”という印刷ジョブと、プレゼン資料作成アプリケーション１３１ｃによって作成した“顧客アンケート集計結果”というファイル名の印刷ジョブの３つの印刷ジョブを印刷装置３から取得した状態を示している。
【００４３】
また、この統合印刷ジョブ再設定画面１４１には、印刷装置３から取得した印刷ジョブ毎にチェック欄１４１ａ〜１４１ｃを表示しており、ユーザにレ点等を入れさせて、１つの資料として統合すべき複数の印刷ジョブを選択させる。
【００４４】
ここで、図４に示す統合印刷ジョブ再設定画面１４１では、ユーザは、チェック欄１４１ａ，１４１ｃにレ点を入れて、“営業本部定例会議議事録（2012年○月○○日）”と、 “顧客アンケート集計結果”の２つの印刷ジョブを、統合印刷対象として選択した状態を示している。なお、この図４に示す統合印刷ジョブ再設定画面１４１では、を印刷装置３から取得した各印刷ジョブの選択を補助するため、“営業本部定例会議議事録（2012年○月○○日）”や、“関西地区売上実績グラフ”、“顧客アンケート集計結果”という印刷ジョブのファイル名だけでなく、各印刷ジョブのサムネイル図形データ１４１ａ１も適宜表示しているが、これは任意である。
【００４５】
また、この図４に示す統合印刷ジョブ再設定画面１４１には、さらに、その選択した印刷ジョブを１つに統合した統合印刷ジョブに対し、再度の各種印刷設定を行うための再印刷設定ツールバー１４１ｄ，１４１ｅも表示されている。
【００４６】
以上のように、このコンピュータ装置１では、例えば、図４に示すような統合印刷ジョブ再設定画面１４１をユーザに参照させて、印刷装置３から取得した複数の印刷ジョブの内から１つの資料として統合すべき複数の印刷ジョブを選択させる。
【００４７】
そして、ユーザによる１つの資料として統合すべき複数の印刷ジョブの選択が完了すると（ステップＳ１３５；ＹＥＳ）、コンピュータ装置１のＣＰＵ１１は、続いて再印刷設定手段として機能して、ユーザによって選択された複数の印刷ジョブを１つの統合印刷ジョブに統合して（ステップＳ１４０）、その１つの統合印刷ジョブ全体に関わる基本印刷設定をユーザに選択させると共に（ステップＳ１４５）、その１つの統合印刷ジョブの各ページ単位の個別印刷設定をユーザに選択させて、統合印刷ジョブに対し再度の印刷設定を行う（ステップＳ１５０）。
【００４８】
ここで、ステップＳ１４５の統合印刷ジョブ全体に関わる基本印刷設定には、例えば、“印刷枚数”の設定等があり、またステップＳ１５０の各ページ単位の個別印刷設定には、各ページ単位の“カラーモード”や“用紙サイズ”、“面付（Ｎ−ｕｐ）”、“Ｚ折り”、“ステープル”、“パンチ”等の細かい印刷設定がある。なお、ステップＳ１４５の基本印刷設定とステップＳ１５０の各ページ単位の個別印刷設定とを分けずにユーザに選択させ設定するようにしても良い。
【００４９】
図５は、統合印刷ジョブの印刷設定データの一例を示しており、（ａ）はステップＳ１４５の基本印刷設定処理によって統合印刷ジョブのジョブ全体に対し設定した印刷設定データの一例を示し、（ｂ）はステップＳ１５０のページ単位の個別印刷設定処理によって統合印刷ジョブの各ページ単位に設定した印刷設定データの一例を示す図である。
【００５０】
図６は、ステップＳ１５０の処理によって統合印刷ジョブに対し各ページ単位に個別印刷設定を行っている状態の統合印刷ジョブ再設定画面１４１の一例を示す図である。
【００５１】
なお、図６および次に図７では、説明の便宜上、３ページからなる“営業本部定例会議議事録（2012年○月○○日）”の印刷ジョブと、１ページだけの“顧客アンケート集計結果”という印刷ジョブが統合されて統合印刷ジョブになっているものとして説明する。
【００５２】
つまり、図６に示す統合印刷ジョブ再設定画面１４１では、統合印刷ジョブを構成する“営業本部定例会議議事録（2012年○月○○日）”という印刷ジョブのページ単位に、再印刷設定ツールバー１４１ｄ，１４１ｅを利用して、個別印刷設定を行っている。その際、図６に示す統合印刷ジョブ再設定画面１４１では、統合印刷ジョブのページ単位にサムネイル図形データ１４１ｆ〜１４１ｈを表示すると共に、その下に各ページを選択するためのチェック欄１４１ｆ１〜１４１ｈ１を表示している。
【００５３】
そして、ユーザは、表示部１４に表示された図６に示すような統合印刷ジョブ再設定画面１４１に表示された統合印刷ジョブのページ単位のサムネイル図形データ１４１ｆ〜１４１ｈを参照して、ページ単位に再度印刷設定すべきページには、サムネイル図形データ１４１ｆ〜１４１ｈの下のチェック欄１４１ｆ１〜１４１ｈ１にレ点を入れて選択して、再印刷設定ツールバー１４１ｄ，１４１ｅおよび再印刷設定項目選択バー１４１ｊによって各ページ単位の個別印刷設定を行う。なお、図６に示す再印刷設定項目選択バー１４１ｊでは、統合印刷ジョブのページ単位に、“カラーモード”や、“片面/両面”、“用紙種類”、“給紙トレイ”、“面付（２ページ/枚、４ページ/枚、８ページ/枚、１６ページ/枚）”、“面付順”、“ステープル”、“用紙サイズ”、“パンチ”、“紙折り”、“折り方向”、“とじ位置”、“小冊子製本”等の印刷設定を選択でき、図６に示す統合印刷ジョブ再設定画面１４１では、統合印刷ジョブを構成する“営業本部定例会議議事録（2012年○月○○日）”の印刷ジョブの３ページ目であるページ２に対して、“カラーモード”、“片面/両面”、“面付（２ページ/枚）、“面付順”、“ステープル”の個別印刷設定を再設定した状態を示している。
【００５４】
図７は、ステップＳ１５０の処理によって統合印刷ジョブに対し各ページ単位に個別印刷設定を行っている状態の統合印刷ジョブ再設定画面１４１の他の例を示す図である。
【００５５】
図７に示す統合印刷ジョブ再設定画面１４１は、図６に示す統合印刷ジョブを構成する“営業本部定例会議議事録（2012年○月○○日）”の印刷ジョブの最後の３ページ目に対して個別印刷設定が終了した後、その４ページ目、すなわち“営業本部定例会議議事録（2012年○月○○日）”の印刷ジョブに統合された“顧客アンケート集計結果”の印刷ジョブに対して個別印刷設定を行っている状態を示している。
【００５６】
つまり、図７に示す統合印刷ジョブ再設定画面１４１では、チェック欄１４１ｉ１にチェックを入れて、折線グラフと円グラフが表示されたサムネイル図形データ１４１ｉの“顧客アンケート集計結果”の印刷ジョブを選択し、再印刷設定項目選択バー１４１ｊによってユーザが希望するフィニッシング処理である“Ｚ折り”を設定した状態を示している。
【００５７】
以上のように、統合印刷ジョブに対し、統合印刷ジョブ全体の基本印刷設定（ステップＳ１４５）やページ単位の個別印刷設定（ステップＳ１５０）が完了すると（ステップＳ１５５；ＹＥＳ）、コンピュータ装置１のＣＰＵ１１は、その基本印刷設定および個別印刷設定が反映された統合印刷ジョブの図形データ１４１ｋを生成して、統合印刷ジョブ再設定画面１４１にプレビュー表示して（ステップＳ１６０）、ユーザに確認させる。
【００５８】
図８は、ステップＳ１６０の処理によって統合印刷ジョブ再設定画面１４１に表示された統合印刷ジョブの図形データ１４１ｋの一例を示す図である。
【００５９】
図８に示すように、例えば、ユーザによって再印刷設定ツールバー１４１ｄのプレビューボタン１４１ｄ１が押されると、その統合印刷ジョブ再設定画面１４１には、統合印刷ジョブの図形データ１４１ｋが、ユーザによって設定された印刷ジョブ全体の基本印刷設定（ステップＳ１４５）やページ単位の個別印刷設定（ステップＳ１５０）が反映された状態でプレビュー表示される。
【００６０】
つまり、ファイル毎の印刷ジョブを１つに統合した統合印刷ジョブに関し、ユーザが再度設定した、ページ単位の“カラーモード”や“用紙サイズ”、“面付（Ｎ−ｕｐ）”、“Ｚ折り”、“ステープル”、“パンチ”等のフィニッシング処理の細かい印刷設定が図形として反映された最終的な印刷結果を示す統合印刷ジョブの図形データ１４１ｋがプレビュー表示される。例えば、“Ｚ折り”の 印刷設定が設定されたページでは、そのページがＺ折りされた図形が表示され、“ステープル”や“パンチ”等のフィニッシング処理の印刷設定が設定されたページでは、そのページの左側にステープルで留めた跡や、パンチの穿孔を示す図形が表示される。
【００６１】
ここで、統合印刷ジョブの図形データ１４１ｋの下には、その統合印刷ジョブの図形データ１４１ｋの各ページを前や後に順にめくったり、先頭ページや最終ページへのジャンプを支持する再生制御ボタン１４１ｍが表示されているため、再生制御ボタン１４１ｍを操作することにより、統合印刷ジョブの図形データ１４１ｋをページ単位でめくる等して、各ページの印刷設定の状態を確認することができる。
【００６２】
そして、統合印刷ジョブ再設定画面１４１に表示された統合印刷ジョブの図形データ１４１ｋを参照して、ユーザに期待する出力結果であるか否かを判断させる（ステップＳ１６５）。具体的には、ユーザによって再印刷設定ツールバー１４１ｄのプリンタボタン１４１ｄ３等が押されると、ＣＰＵ１１は、ユーザに期待する出力結果であると判断したと認識する。
【００６３】
ステップＳ１６５において、ユーザが期待する出力結果でない判断された場合（ＮＯの場合）、ＣＰＵ１１は、印刷ジョブを変更する、又は印刷設定を変更するのいずれが要求されたかを判定する（ステップＳ１７０）。
【００６４】
ステップＳ１７０において、ユーザは、別の印刷ジョブを統合すべきと判断して、ユーザが再印刷設定ツールバー１４１ｄのファイルボタン１４１ｄ４等を押して新たな印刷ジョブの取得を指示すると（ステップＳ１７０；印刷ジョブの変更）、コンピュータ装置１のＣＰＵ１１は、ステップＳ１２０の処理に戻って、再度、印刷装置３から別の印刷ジョブを取得して、ステップＳ１２０以降の処理を上述のように行う。
【００６５】
一方、ステップＳ１７０において、ユーザは、印刷ジョブを新たに交換する必要は無いが、統合印刷ジョブの印刷設定を変更する必要があると判断して、ユーザが再印刷設定ツールバー１４１ｄのジョブ編集（再設定）ボタン１４１ｄ２等を押して印刷設定の変更を指示すると（ステップＳ１７０；印刷設定の変更）、コンピュータ装置１のＣＰＵ１１は、ステップＳ１４５の処理に戻って、同じ統合印刷ジョブに対し、再度、統合印刷ジョブ全体の基本印刷設定（ステップＳ１４５）やページ単位の個別印刷設定（ステップＳ１５０）を行う。
【００６６】
また、ステップＳ１６５において、ユーザに期待する出力結果であると判断したと認識すると（ＹＥＳの場合）、統合印刷ジョブを、イントラネット２を介して印刷装置３に対し送信する（ステップＳ１７５）。具体的には、ユーザが統合印刷ジョブ再設定画面１４１に表示された統合印刷ジョブの図形データ１４１ｋを参照して、期待する出力結果が得られたものと判断して、ユーザによって再印刷設定ツールバー１４１ｄのプリンタボタン１４１ｄ３等が押されると（ＹＥＳの場合）、コンピュータ装置１のＣＰＵ１１は、続いて統合印刷ジョブ送信手段として機能して、基本印刷設定（ステップＳ１４５）やページ単位の個別印刷設定（ステップＳ１５０）がされた統合印刷ジョブを、イントラネット２を介して印刷装置３に対し送信する。
【００６７】
次に、印刷装置３では、コンピュータ装置１から統合印刷ジョブと、その印刷指令を受信して、印刷装置３のＣＰＵ３１は、印刷制御手段として機能して、その統合印刷ジョブを１つの印刷ジョブとして、印刷実行部３６に印刷を実行させる（ステップＳ１８０）。
【００６８】
次に、印刷装置３のＣＰＵ３１は、印刷装置３自身における設定、またはコンピュータ装置１からの指令等によってその統合印刷ジョブの保存が設定されている否かを判定し（ステップＳ１８５）、統合印刷ジョブの保存が設定されている場合には（ステップＳ１８５；ＹＥＳ）、その統合印刷ジョブをメモリ３２に保存し（ステップＳ１９０）、最後に以上の統合印刷モードを解除して、前記コンピュータ装置から送信されて受信したファイル毎の各印刷ジョブを印刷する通常印刷モードに戻るように制御する（ステップＳ１９５）。
【００６９】
そのため、これ以降、印刷装置３は、イントラネット２を介して各コンピュータ装置１から印刷ジョブを受信すると、通常印刷モードが選択されている場合には（ステップＳ１００；通常印刷モード）、ファイル毎に通常の印刷を行い、統合印刷モードが選択されている場合には（ステップＳ１００；統合印刷モード）、複数のファイルを１つの統合印刷ジョブに統合してページ単位で再度印刷設定行った統合印刷を行うことになる。
【００７０】
以上のように、本実施形体の統合印刷支援プログラム１３３、コンピュータ装置１、及び印刷装置３によれば、この統合印刷支援プログラム１３３を実行するコンピュータ装置１は、各種アプリケーション１３１の実行を終了したり、ファイルを閉じた場合等でも、印刷装置３に記憶されている複数の印刷ジョブをイントラネット２を介して取得して再度の印刷設定を行って１つの統合印刷ジョブを生成し、その統合印刷ジョブを印刷装置３に送信して１つの印刷ジョブとして印刷することができる。
【００７１】
また、この統合印刷支援プログラム１３３を実行するコンピュータ装置１では、そのコンピュータ装置１自身が印刷装置３に送信して記憶させた各印刷ジョブを含め、印刷装置３に記憶された各印刷ジョブの内から統合すべき各印刷ジョブを印刷装置から取得して、再度の印刷設定を行った１つの統合印刷ジョブを生成するようにしたため、他のコンピュータ装置１が作成した印刷ジョブや、印刷装置３自身がスキャンした印刷ジョブでもイントラネット２を介し取得して、１つの統合印刷ジョブに統合して印刷できる。
【００７２】
また、この統合印刷支援プログラム１３３を実行するコンピュータ装置１では、統合印刷ジョブをページ単位で統合印刷ジョブ再設定画面１４１に表示し、ユーザの指示に基づいてその統合印刷ジョブに対し少なくともページ単位で再度の印刷設定を行うようにしたので、複数のファイルを１つに統合した統合印刷ジョブでも、ページ単位で細かいフィニッシング処理等の印刷設定を設定できる。
【００７３】
また、この統合印刷支援プログラム１３３を実行するコンピュータ装置１では、再度の印刷設定がされた各印刷ジョブを１つに統合した統合印刷ジョブを、再度の印刷設定が反映された図形データ１４１ｋに変換して統合印刷ジョブ再設定画面１４１にプレビュー表示する。そのため、ユーザは、１つに統合された統合印刷ジョブの再度の印刷設定を統合印刷ジョブ再設定画面１４１の図形データ１４１ｋにより直感的に認識することが可能となり、複数のファイルを１つに統合した統合印刷ジョブの最終的な出力結果を容易にイメージすることにより、印刷ミスやフィニッシングミス等の発生を低減させることができる。
【符号の説明】
【００７４】
１…コンピュータ装置
１1…ＣＰＵ（印刷ジョブ送信記憶手段、印刷ジョブ取得手段、再印刷設定手段、統合印刷ジョブ送信手段）
１２…メモリ
１３…ＨＤＤ
１３１…アプリケーション
１３２…プリンタドライバ
１３３…統合印刷支援プログラム
１４…表示部
１５…入力部
１６…通信処理部
２…イントラネット
３…印刷装置
３1…ＣＰＵ（印刷制御手段）
３２…メモリ
３３…表示部
３４…操作受付部
３５…通信処理部
３６…印刷実行部
３７…フィニッシング処理部
４…インターネット
５…サーバ
【図１】
2014056293.tif 000003
【図２】
2014056293.tif 000004
【図３】
2014056293.tif 000005
【図４】
2014056293.tif 000006
【図５】
2014056293.tif 000007
【図６】
2014056293.tif 000008
【図７】
2014056293.tif 000009
【図８】
2014056293.tif 000010